(57)【特許請求の範囲】
【請求項１】
デジタル化したオーディオデータを入力するデジタルオーディオデータ入力部と、
前記デジタルオーディオデータから、オーディオ同期画像データが存在する場所及び画像ファイル名を記録した情報管理データを分離するデータ分離部と、
前記画像データが存在する場所にアクセスし、前記画像ファイル名の画像データを取り込む画像ファイルアクセス部と、
前記取り込んだ画像データを、オーディオデータの出力に同期して画像表示部に出力する制御部とを備えたことを特徴とするデジタルオーディオ機器。
【請求項２】
前記デジタルオーディオデータは、デジタルオーディオ放送のデータであることを特徴とする請求項１記載のデジタルオーディオ機器。
【請求項３】
前記デジタルオーディオデータは、データ記録媒体のデータであることを特徴とする請求項１記載のデジタルオーディオ機器。
【請求項４】
前記画像データにアクセスする手段は、インターネットであることを特徴とする請求項１記載のデジタルオーディオ機器。
【請求項５】
前記画像データは、情報センターに蓄積したものであることを特徴とする請求項４記載のデジタルオーディオ機器。
【請求項６】
前記オーディオデータに同期する画像データの存在する場所の記録位置を、前記同期するオーディオデータより前に出力するオーディオデータの記録位置としたことを特徴とする請求項１記載のデジタルオーディオ機器。
【請求項７】
前記画像データは、当該デジタルオーディオ機器に接続した画像データ記録機器のデータであることを特徴とする請求項１記載のデジタルオーディオ機器。
【請求項８】
前記取り込んだ画像データを、少なくともオーディオデータに同期する時期まで蓄積する画像メモリを備えたことを特徴とする請求項１記載のデジタルオーディオ機器。
【発明の詳細な説明】
【０００１】
【発明の属する技術分野】
本発明は、ディジタルオーディオ放送を受信するデジタルオーディオ放送受信機、あるいはディジタルオーディオを記録したディスク等の記録媒体を再生する機器等のデジタルオーディオ機器に関し、特に、受信したオーディオデータやディスク等から再生されるオーディオデータに同期させて、インターネットや他のファイルの画像データを取込み表示させることにより、オーディオ放送データ中に画像データを送信する必要がなく、またオーディオ記録媒体中に画像データを記録する必要がないようにしたデジタルオーディオ機器に関する。
【０００２】
【従来の技術】
今日、ディジタルオーディオはその優れた特性と使い易さが一般に認められ、広く普及している。また、ＣＳ放送の普及に伴って、ディジタルオーディオ放送［ＤＡＢ(Digital  Audio  Broadcasting）］が広く利用されるようになっている。ディジタルオーディオ放送は、所定の番組の音声信号データを周波数多重で挿入した複数のデータフィールドと、番組とデータフィールドの対応を示す番組配列データ等が挿入される情報フィールドとを含み、周波数多重放送受信機で、この周波数多重放送信号を受信し、別途ユーザにより指定された番組に応じてデータフィールドに挿入された周波数多重信号を復調し、オーディオ信号に変換して出力するものである。
【０００３】
一方、デジタルオーディオ放送で送信されるデータは主としてオーディオデータであるが、その中に例えば静止画や動画の映像データも入れることができ、受信機側にこの映像データを再生する機能がある場合には、受信機に接続した表示装置にその映像をオーディオの出力と同期して出力することができるようになっている。
【０００４】
また、例えばデジタルオーディオ機器で再生する記録媒体としてはＣＤ、ＭＤ、ＤＶＤ等が存在し、また、その記録媒体に記録するデータ記録形式も一般のＣＤの記録フォーマットのほか、ＭＰＥＧ形式で圧縮したデータ、更にそのＭＰＥＧ形式でも例えばＭＰＥＧ３形式を採用したもの等、種々のデータ形式で記録した記録媒体が利用されている。これらの記録媒体においても、前記の放送と同様に、オーディオのほか映像データも記録し、プレーヤにこの映像データを再生する機能がある場合には、プレーヤに接続した表示装置にその映像をオーディオの出力と同期して出力することができるようになっている。
【０００５】
【発明が解決しようとする課題】
例えば上記のようなデジタルオーディオ放送においては、前記のように映像データも送信することができるものであるが、映像データは多くのデータ容量を必要とするため、このような映像データをデジタルオーディオ放送の送信データ中に多く入れると、その分オーディオデータの送信量が少なくなり好ましくない。そのため、現在では放送中のオーディオ放送の説明等に関する簡易文字情報を伝送するに留まっている。
【０００６】
しかしながら、オーディオ放送を受信している利用者にとって、単に音楽を聴いているよりも、オーディオに関連した画像が表示される方が楽しいことは当然である。また、オーディオ放送においては交通関係放送、天気予報放送等のサービス放送も存在するが、例えば交通関係放送においてはその交通情報に関連する地図が表示されれば理解しやすく、また天気予報放送においては実際の雲の様子等が撮影されている気象衛星画像が表示されているとわかりやすい。
【０００７】
また、オーディオと共に映像の表示を望む際には、従来のデジタルＴＶ放送によって当然可能であるが、デジタルＴＶ放送は映像が主体であり、そのデータ量も圧倒的に映像データが多いので、例えばカーオーディオ装置等において、オーディオを主体とする受信機にとっては、利用者が希望しないデータが大量に送られてくるデジタルＴＶ放送を受信し、その一部のデータを利用することは、希望に添う受信形態とはいえない。
【０００８】
一方、上記のようなデジタルオーディオプレーヤにおいても、前記のように映像データを記録することができるものであるが、前記と同様に、映像データは多くのデータ容量を必要とするため、このような映像データを大量に記録媒体に記録することは、主体となるべきオーディオデータの記録量が少なくなるために好ましくない。しかしながら、このようなデジタルオーディオプレーヤを利用している者にとって、前記の放送のときと同様に、単に音楽を聴いているよりも、オーディオに関連した画像が表示される方が楽しく、できる限り画像を表示することを望むのは当然である。
【０００９】
したがって本発明は、入力されるオーディオデータに画像データが存在しない場合でも、オーディオ出力に同期して画像を表示できるようにすることを主たる目的とし、特にデジタルオーディオ放送において伝送されるオーディオデータの量を減少させることなくオーディオに同期して画像を表示することができ、また、記録媒体に記録するオーディオデータの量を減少させることなしに、出力するオーディオに同期した映像を表示することができるようにしたデジタルオーディオ機器を提供することを目的とする。
【００１０】
【課題を解決するための手段】
本発明は、上記課題を解決するため、デジタル化したオーディオデータを入力するデジタルオーディオデータ入力部と、前記デジタルオーディオデータから、オーディオ同期画像データが存在する場所及び画像ファイル名を記録した情報管理データを分離するデータ分離部と、前記画像データが存在する場所にアクセスし、前記画像ファイル名の画像データを取り込む画像ファイルアクセス部と、前記取り込んだ画像データを、オーディオデータの出力に同期して画像表示部に出力する制御部とを備えたことを特徴とするデジタルオーディオ機器としたものである。
【００１１】
また、他の態様として、前記デジタルオーディオデータは、デジタルオーディオ放送のデータとしたものである。
【００１２】
また、他の態様として、前記デジタルオーディオデータは、データ記録媒体のデータとしたものである。
【００１３】
また、他の態様として、前記画像データにアクセスする手段は、インターネットとしたものである。
【００１４】
また、他の態様として、前記画像データを情報センターに蓄積したものである。
【００１５】
また、他の態様として、前記オーディオデータに同期する画像データの存在する場所の記録位置を、前記同期するオーディオデータより前に出力するオーディオデータの記録位置としたものである。
【００１６】
また、他の態様として、前記画像データは、当該デジタルオーディオ機器に接続した画像データ記録機器のデータとしたのもである。
【００１７】
また、他の態様として、前記取り込んだ画像データを、少なくともオーディオデータに同期する時期まで蓄積する画像メモリを備えたものである。
【００１８】
【発明の実施の形態】
本発明の実施の形態を図面に沿って説明する。最初に本発明が適用されるデジタルオーディオ機器として、デジタル放送を受信するデジタル放送受信機について説明する。そのほかのデジタルオーディオ機器は、後述するように、このデジタル放送受信機とほぼ同様の構成により、また同様に作動することによって実施することができる。
【００１９】
デジタルオーディオ放送で扱われるデータにおけるフレーム構造について、図２に基づいてその概要を説明する。図２に示すものはデジタルオーディオ放送におけるモードIIのフレーム構造であり、基本フレーム構成である１フレームの長さは２４ｍｓであって、最初２シンボルの同期部（ＳＹＮＣ）が設けられ、その最初にはフレームの開始点を認識するために使用するヌルシンボルがつけられ、その後に同期シンボルを付けている。その後に３シンボルの情報チャンネル（ＦＩＣ：Fast Infomation Channel）と、７２シンボルのデータフィールド（ＤＦＬ）を備えている。
【００２０】
データフィールド（ＤＦＬ）は７２個のデータフィールドに区分されており、それぞれのデータフィールドに所定のアナウンスメント等の音声を含むオーディオデータ、また、時には静止画等の画像データの放送信号が挿入されており、１つの放送波から同時に複数のサービスを受信できるようになっている。どのデータフィールドにどのサービスが対応するかは高速情報チャンネル部（ＦＩＣ）内の３個の高速情報ブロック（ＦＩＢ）１〜３の中のデータフィールドに記録されている。
【００２１】
高速情報ブロック（ＦＩＢ）は各々その展開構成図のように構成されており、多数に分割されて記録されている高速情報データグループ（ＦＩＧ）には、各々その展開構成図に示すような種々の項目が記録されている。各項目の最後にはデータフィールドを設けており、ここには種々のデータを記録することができるようになっている。本発明は特に、この最後のデータフィールド部分に、後述するような同期画像ファイルアドレスデータを記録する。なお、図２では１．５ＧＨｚ帯を使用する衛星放送用のモードIIのフレーム構造を示したが、５０ＭＨｚ〜２５０ＭＨｚの周波数帯を使うモードIのフレーム構造もほぼ同様の構成を備え、１フレーム長は９６ｍｓになっている。
【００２２】
このようなデータの作成は図３に示されるようなデジタルオーディオ送信機によって行うことができる。即ち、従来と同様にオーディオ信号、及び静止画等の画像データが存在するときにはその画像データを入力し、更に情報管理データを入力すると共に、特に本発明においては、後述する同期画像ファイルアドレス信号を情報管理データの適宜の部分に入力する。これらの信号はＭＰＥＧ信号に高能率符号化するデータ圧縮部４１ａ〜４１ｍに入れられ、それぞれの処理を行った後、伝送路符号化部４２ａ〜４２ｍに送り、誤り検出訂正用符号を付加する処理を行う。
【００２３】
これらの信号を時分割多重化部４３に送り、サービス配列データに従って各伝送路符号化部４２ａ〜４２ｍの出力データを前記図２に示す所定のデータフィールドにマッピンッグして時分割多重化を行う。この信号をはインターリーブ／ＯＦＤＭ（Orthoqonal Frequency Division Multiplex）変調部４４でＯＦＤＭ変調し、また、所定の形式に従ってシンボル内の多重信号の順番を再配置することによってインターリーブを行う。即ち、ＯＦＤＭ変調部は、移送基準シンボルやデータシンボルの各シンボルを２ビットづつＮ組に分け、各組の第１データを実数部、第２データを虚数部として差動符号化し、差動符号の実数部、虚数部を順次フーリエ逆変換部に入力してＩＤＦＴ処理することによりベースバンドの変調波を出力する。
【００２４】
この変調波は直交変調部４５において、インターリーブ／ＯＦＤＭ変調部２４より出力される実数部、虚数部をアナログ信号に変換し、それぞれに送信ローカル周波数ｆｃのcos波、sin波を乗算し、乗算結果を合成して直交変換し、ここで得られた送信搬送波をＲＦ周波数変換部４６でＲＦ信号に変換し、送信電力増幅器４７で増幅してアンテナ４８から送信を行っている。
【００２５】
上記のようにして同期画像ファイルアドレス信号が入力された図２に示すデータ構造の信号が、デジタルオーディオ受信機によって受信される。その受信機の例を図１に示す。このデジタルオーディオ放送受信機１０においては、前記のような送信機から送信された信号をアンテナ１１で受信し、ＲＦ信号復調部１２で復調し、更にベースバンド信号復調部１３で復調する。それらの復調は制御部２０の制御信号によって行われる。上記各機能部は、本発明におけるデジタルオーディオデータ入力部に相当する。
【００２６】
このデータはデータ分離部１４において、前記図３の送信機で入力したデータと同様に、オーディオデータ１５と、必要に応じて入れられる文字情報や静止画等の画像表示用データ１６とが従来と同様に分離され、更に、後述する画像データファイルの存在するアドレス等も記録されている情報チャンネルデータ１７が分離される。
【００２７】
これらのデータの内、オーディオデータ１５はオーディオ信号デコード部１８でデコードされ、アンプ２１を介してスピーカ２２から出力される。また、画像データ１６は制御部２０に出力され、画像データ処理がなされて画像表示部２３に表示される。また、情報チャンネルデータ１７に記録された画像データファイルの存在するアドレス及び画像ファイル名等のデータは、制御部２０を介して画像ファイルアクセス部２４に読み取られる。制御部２０には画像メモリ１９が接続しており、この画像メモリ１９は特に、後述するインターネットから画像を取込む際に、オーディオ出力との同期を取ることが困難であるので、予め画像メモリ１９にメモリし、オーディ出力と同期を取りながら画像表示を行うために用いられる。これらの画像データの指定は、例えばＪＰＥＧ、ＧＩＦ等の画像ファイル名によって行うことができる。
【００２８】
前記情報チャンネルデータ１７は、現在出力しているオーディオに同期して表示するための画像ファイルのアドレス信号を含み、例えばインターネットのホームページのアドレスと共に、そのホームページの特定のフレームの特定の画像ファイル名が記録されている。このように、最終的には画像のファイル名までを含んだ詳細なアドレス記号が、前記同期画像ファイルアドレス信号とされ、情報チャンネルデータ中にこのようなインターネットのアドレスが記録されていたときには、画像ファイルアクセス部２４からインターネットアクセス部２５にその信号が出力され、モデム２５を介して電話回線２７に接続し、例えば画像提供ホームページ２８にアクセスしてその画像を取込み、その画像データは前記と逆の経路を介して画像ファイルアクセス部２４から制御部２０に入力される。この画像データは前記データ分離部１４で分離された画像データ１６と同様に画像データ処理され、画像表示部２３に表示される。
【００２９】
このように取り込まれる画像データは、放送局側が予め放送するオーディオに応じて設定しているものであり、例えば「ドナウ川のさざ波」の音楽を送信するときはドナウ川の情景の映像を表示し、また「グランドキャニオン」の音楽の時にはその地域の情景を表示し、更に「ウイーンの森の物語」ではウイーンの多数の写真を順に表示し、「子犬のワルツ」では子犬の写真を順に表示し、またビバルディーの「四季」においてはその曲の楽章に合わせて国内外の季節の風景を順に表示するする等、種々の態様で映像をオーディオに同期させて表示することができる。これらの写真はインターネットにおいて種々の無料画像集に掲載されており、また旅行記の写真の形式で世界中の国、地域の写真が多数掲載されているので、それをアドレスとして指定することができる。
【００３０】
上記のように、インターネットから取込む画像は放送されているオーディオの曲に直接的に対応する必要はなく、例えばクラシック曲に合わせて種々の花の写真を順に画像表示し、海中写真、鳥や魚等の小動物の写真、あるいは風景の写真を順に表示するように設定することもできる。
【００３１】
また、デジタルオーディオ放送において提供される交通情報の時は、放送する地域の道路画面を地図データのホームページにアクセスしてダウンロードし、これを交通情報の説明に合わせて表示することもできる。また、デジタルオーディオ放送において提供される天気予報のオーディオ放送のときには、天気予報の説明が行われる地域の衛星画像を取込み、雲の様子などを表示することができるようにしても良い。更に、観光案内の放送のときには、その地方の画像データをナビゲーション装置のＣＤ−ＲＯＭやＤＶＤ−ＲＯＭの中から必要なものを選択し、これを表示することもできる。
【００３２】
図１のインターネットアクセス部２５でアクセスするインターネットとしては、上記のような種々のホームページのほか、例えば特に車両用ナビゲーション装置のインターネット対応機能を利用して各種情報を提供することができる情報センターに接続しても良く、例えば「インターナビシステム」２９にアクセスしてここから提供される画像を取り込むように、前記アドレスを設定しておくこともできる。
【００３３】
このような情報センターを利用した情報提供システムを用いる際には、本発明のデジタルオーディオ放送受信機が普及するのに合わせて、情報センター内に系統的に整理した多数の画像提供ファイルを蓄積しておき、放送局はこの画像提供ファイルの特定の画像を指定することにより、容易に放送するオーディオに適した画像のアドレス指定を行うことができるようになる。その際には、前記のような交通情報、天気予報のオーディオ放送時にも対応できるように、情報センターにそのための地図画像、衛星画像を用意しておいても良い。このように、放送局と情報センターの連携により、放送されるオーディオに合わせた適切な画像を容易に提供することができるようになる。
【００３４】
一方、図１の画像ファイルアクセス部２４には画像データ記録機器アクセス部３０を接続しており、このデジタルオーディ放送受信機に対して例えばＣＤプレーヤが接続されており、そのＣＤプレーヤの中に予め決められた画像ファイルを記録している特定のＣＤ−ＲＯＭ３１を装填する。この特定のＣＤ−ＲＯＭの中の画像データに対応する画像データファイル名を、放送局側が予め画像のアドレスとして送信することにより、オーディオと同期して画像データ記録機器アクセス部３０がＣＤ−ＲＯＭ３１にアクセスして画像を取込み、画像表示部２３に表示することができる。なお、このＣＤ−ＲＯＭを市販し、利用者がこれを購入して利用することができるほか、放送局のホームページ等にアクセスして利用される画像を予めダウンロードし、これをＣＤ−Ｒ等で個別にＣＤを制作して使用しても良い。
【００３５】
また、このデジタルオーディオ放送受信機に対してＤＶＤプレーヤが接続されており、そのＤＶＤプレーヤに前記ＣＤ−ＲＯＭの場合と同様に、予め決められた画像ファイルを記録している特定のＤＶＤ−ＲＯＭ３２を装填するようにしても良い。このときも、放送局側が予め画像ファイル名のデータを前記画像のアドレスとして送信することにより、オーディオと同期して画像データ記録機器アクセス部３０がＤＶＤ−ＲＯＭ３２にアクセスし、画像を取込み、画像表示部２３に表示することができる。このときのＤＶＤ−ＲＯＭ３２は、前記ＣＤ−ＲＯＭの場合と同様に、市販のものを用いることができるとともに自分で制作したものを使用することもできる。
【００３６】
このようなＣＤ−ＲＯＭ３１やＤＶＤ−ＲＯＭ３２は、このデジタルオーディオ放送受信機が車両に搭載され、その車両にナビゲーション装置が搭載されているときには、そのナビゲーション装置で地図データ、施設情報データを記録したＣＤ−ＲＯＭ、あるいはＤＶＤ−ＲＯＭを用いることができ、放送局側で特定のＣＤ−ＲＯＭ等を指定し、その中の画像ファイル名を指定することにより、その画像を利用することができる。また、この発明の画像表示方法が普及した場合には、ナビゲーション装置用ＤＶＤ−ＲＯＭに予め決められた多くの画像を記録しておき、放送局側がこの画像を指定することもでき、その際には現在のナビデーション装置用ＤＶＤ−ＲＯＭの空き容量部分を有効に利用することができる。
【００３７】
本発明においては上記のようにインターネットやＣＤ−ＲＯＭ等の画像データ記録機器にアクセスすることにより、オーディオ放送に対応して画像表示装置に適切な画像を表示することができるものであるが、これを放送局から送信されてきたフレーム構成についてみると通常は図４（ａ）に示すように設定されることとなる。即ち、前記図２に示すようなデータ構成からなる基本フレームの集まりからなるデータが送信されるとき、ｎ曲目が開始されるｎフレーム目の中に、前記のようにしてオーディオに同期して表示されるべき画像のファイルのアドレス信号が記録されて送信されることとなる。
【００３８】
このような記録方式においては、例えばＣＤ−ＲＯＭやＤＶＤ−ＲＯＭ等の画像データを読み出す場合には、ｎフレームが開始されたときに同時にＣＤ−ＲＯＭ等にアクセスして画像を取り込んでもほぼ違和感ない程度に間に合わせることができる。しかしながら、インターネットの画像データにアクセスする場合は、電話によるホームページへのアクセス、及びパスワードの確認、データの送信等に多くの時間を要するため、例えばｎフレーム目のオーディオデータに対して画像データを同期させるために、同じｎフレームに画像ファイルアドレスを記録したのでは、直ちに出力される音声に合わせて画像を表示させることはできないばかりか、しばらくたって突然に画像が表示され、利用者に違和感を感じさせることとなる。
【００３９】
その対策として、図４（ｂ）に示すように、例えばｍ曲目の開始と同時に画像を表示させたいときには、所定の画像データを同期して表示するｍ曲目が開始するｍフレームより、例えば３〜４分手前のｎ曲目が開始するｎフレーム目の情報チャンネルに、ｍ曲目の画像表示のためのインターネットのアドレス、及び画像のファイル名を記録しておき、ｎ曲目のオーディオ出力が開始される際に図１の画像ファイルアクセス部２４からインターネットアクセス部２５を介してインターネットに接続する作動を行わせる。その接続終了後には前記ｍ曲目用画像データの取込みを行い、取り込まれた画像データは画像メモリ１９に、この画像を取り込んだホームページのアドレス、及び画像ファイル番号と共に蓄積する。
【００４０】
上記のような作動を行わせるに際しては、放送されるデータにおけるｎフレーム目に、これからインターネットで取込むデータはｍ曲目のｍフレームと同期するものであることを記録しておき、制御部２０においては上記のようにインターネットから画像が取り込まれたときには、現在出力しているオーディオデータのフレームと比較し、未だｍフレーム目になっていないと判別されたときにはこれを画像メモリ１９に蓄積する制御を行う。また、ｍフレーム目のオーディオ出力時には、制御部２０によって自動的に画像メモリ１９に記録したｍフレーム目に対応する画像データを読み込み、これを表示することができる。なお、この際、予めｍフレーム目の情報チャンネルにも、同期して表示する画像のインターネットのホームページアドレスとファイル名を記録しておくことにより、制御部２０がこれを識別し、既に画像メモリ１９にこのデータが記録されていると判別したときにはこの画像メモリ１９にアクセスし、そのデータを読み出して画像表示することもできる。
【００４１】
なお、前記ｎフレーム目においてｍフレーム目の画像取込みのためにインターネットにアクセスする際、既にインターネットが接続状態になっているときには直ちに所定のホームページにアクセスし、画像データを取り込み、画像メモリ１９にそのデータを記録しておく。
【００４２】
また、上記のように予め画像データを画像メモリ１９に取込む手段は、前記のようにインターネットに接続するとき以外に、例えばＣＤ−ＲＯＭの起動とアクセス時間の遅れを考慮して、同期させるオーディオデータのフレームより少し前のフレームに記録し、前のフレームのオーディオデータの出力と同時に画像データの取り込みを行い、これを画像メモリ１９に蓄積しておき、オーディオデータと同期して画像表示を行うにはこのデータを読み取って用いるようにすることもできる。
【００４３】
このようにして予め画像メモリ１９に取り込まれた画像データは、ｍフレーム目のオーディオ出力が開始されるとき、制御部による自動読み込みにより、あるいはｍフレームの情報チャンネルに記録された画像アドレス指定により、情報画像メモリ１９から読み出されて画像表示部２３に表示する。
【００４４】
以上、本発明のデジタルオーディオ機器について、その一つの実施の態様であるデジタルオーディオ放送受信機について説明したが、そのほか、例えば図５に示すようなデジタルオーディオプレーヤ４０に適用することできる。同図において前記図１と同様の機能をなす部分については同一符号を付与している。
【００４５】
図５においてはＣＤ、ＭＤ、ＤＶＤ等のオーディオディスク４１を用いた例を示しており、このオーディオディスク４１は従来のものと全く同様にモータ４２によって回転され、光ピックアップ４３の焦点位置部分のデータを読み出している。そのデータはＲＦ部４４を介してシステムデコーダ４５に出力され、制御部２０の制御の元にオーディオデータ記録媒体のデータ形式に対応して、圧縮データを元に戻す等のシステムデコードを行う。なお、上記各機能部は、本発明におけるデジタルオーディオデータ入力部に相当する。そのデータがデータ分離部１４に出力され、以降は前記デジタル放送受信機と同様の機能ブロックを用いて作動するので、この機能ブロック図の説明は省略する。
【００４６】
上記のようなデジタル記録媒体の全てには、周知のように各種プログラムを記録すると共に種々のデータを記録することができる情報管理領域を備えており、それらのデータ管理領域の形式はディスクにより異なる場合はあるものの、所定のオーディオデータに同期して情報管理データを記録することができるようになっているので、必要に応じて各種データをここに記録することができる。したがって、前記のような画像データの存在するアドレス、及び画像データファイル名をオーディオデータに対応してこの情報管理領域に記録することができ、図１のデータ分離部１４の情報管理データ分離部１７でこれを分離し、制御部２０を介して画像ファイルアクセス部２４から各画像データのアドレスにアクセスすることができ前記のように画像の取込みを行うことができる。
【００４７】
このようなデジタルオーディオ機器を用いることにより、例えば一般のＣＤに対して予め画像データのアドレスを記録し、あるいはＣＤ−ＲやＣＤ−ＲＷによりオリジナルＣＤを制作するときには画像データのアドレスを記録しておくことにより、また、ＭＤやＤＶＤにオーディオデータを記録するときも同様に、更にはこれらの記録媒体にＭＰＥＧ３形式で記録する等、種々の記録形式で記録する際にも画像データのアドレスを記録することにより、前記デジタル放送の受信と同様に、オーディオデータの出力に同期して画像データを取込み、表示することができる。
【００４８】
したがって、従来は表示することができなかった多量の画像データを画像表示部に表示することができるようになる。また、オーディオデータの記録媒体として前記のようなディスク形式のものばかりではなく、例えばメモリカードのような記録媒体においても近年は６４ＭＢ程度のものが安価に供給されるようになっているので、このようなメモリカードにＭＰＥＧ３形式でオーディオデータを記録し、その際に前記のような画像データのアドレスを記録しておくことにより、メモリカードを用いたデジタルオーディオ機器においても大量の画像を表示することができるようになる。なお、画像データ記録機器としては上記のようなもののほか、パソコンに用いられているような内蔵ハードディスク、あるいは外付けハードディスク、更にはカード型ハードディスク等のハードディスクを用いることもでき、これらのハードディスクに予めダウンロードしている画像データを利用することもできる。
【００４９】
なお、このようなハードディスクは前記のような機能を行う画像メモリ１９として使用することも可能であり、インターネット等から画像データを取り込んだ後にオーディオデータに同期して出力した後も消去せず、次回にも使用することができるように設定することも可能である。特に近年は１０ＧＢ程度のハードディスクが安価に供給されているので、それより小容量でより安価なハードディスクを用いて容易に対応することができる。
【００５０】
デジタルオーディオ機器において上記のような機能を行うことができる結果、例えば前記インターナビのように、ナビゲーション装置等にインターネットを介して情報センターから各種情報を提供するようにしたシステムにおいて、情報センターに大量の画像データを用意しておき、オーディオ用ＣＤにその画像ファイル名を記録しておくことにより、多くのホームページにアクセスする必要がなくなる。また、例えばそのＣＤを情報センターが制作して配布、あるいは販売することにより、情報センターの活動範囲を更に広げることもできる。このとき、情報センター等は、画像データを有料で提供することも可能である。
【００５１】
なお、上記のようにインターネットに接続して画像データを取り込むときには、前記デジタルオーディオ放送と同様に、オーディオと同期して画像を表示する箇所より先に予めインターネットに接続しておき、画像データを取り込んでおくことが好ましい。このときには、この記録媒体に記録されているデータを順に再生することを前提に、画像表示の３分程度前にインターネットにアクセスするように設定することができる。しかし、利用者が任意に再生曲の順序を指定することを考慮し、この記録媒体の再生時の最初に予め前記画像情報に関連するデータを読み取ってメモリに記録し、オーディオの再生時には常に次の曲の管理データを読み込むことにより同期がとれるようにすることが好ましい。
【００５２】
【発明の効果】
本発明は、上記のように構成したので、入力されるオーディオデータに画像データが存在しない場合でも、オーディオ出力に同期して画像を表示することができ、利用者は出力されるオーディオに関連した映像を見ることができる。したがって、例えば曲に関連した地域の情景、その曲のムードに合わせた花、風景、魚や野鳥、更には猫、犬等のペットの映像等を見ることができる。
【００５３】
また、前記デジタルオーディオデータがデジタルオーディオ放送のデータとしたものにおいては、画像データを多く送信するように設定したときには、送信されるオーディオデータが少なくなってしまうデジタルオーディオ放送においても、オーディオに関連した画像を表示することができ、上記のような種々の映像のほか、例えば天気予報の放送時にはその地域の気象衛星の映像を、また道路交通情報の放送時には関連する地域の地図画像を、更には観光案内の放送のときにはナビゲーション装置に接続した情報記録媒体にアクセスしてその地域の情報を取込む等、放送の形態に合わせて適切な映像をオーディオに同期して表示することができる。
【００５４】
また、前記デジタルオーディオデータがデータ記録媒体のデータであるものにおいては、ＣＤ等の限られたメモリ容量内にできる限り多くのオーディオデータを記録する場合、オーディオデータの記録量を減少させることなく、そのオーディオデータの再生時に同期して画像を表示することができるようになる。そのため、メモリカード等の小容量のデータ記録媒体でもＭＰＥＧ３等のデータ高圧縮技術を用いて大量のオーディオデータを記録したものにおいて、その再生時に更に映像も表示することができるようになり、利用性の高いオーディオデータ記録媒体とすることができる。
【００５５】
また、前記画像データにアクセスする手段がインターネットであるものにおいては、ＷＷＷ内に存在する極めて多くの画像データにアクセスすることができ、それらを利用することができるので、より多種類の適切な映像をオーディオ出力と同期して表示することができるようになる。
【００５６】
また、前記画像データが情報センターに蓄積したものを用いる場合には、特定の箇所に集中して蓄積した画像データを利用することができ、データのアドレス指定が容易になるとともに、画像データへのアクセスに際して、種々のホームページにアクセスする必要が無くなってアクセスが単純化し、高速で画像データを取り込むことができるようになる。また、このようなデジタルオーディオ機器が存在することにより、情報センターでは自己の画像データを利用するデータ記録媒体を配布、発売して営業することができるようになり、また画像データのアクセスに際して料金を徴収する等、種々の有利なビジネス活動を行うことが可能となる。
【００５７】
また、前記オーディオデータに同期する画像データの存在する場所の記録位置を、前記同期するオーディオデータより前に出力するオーディオデータの記録位置としたものにおいては、例えば画像データをインターネットにより取込む必要があるときにインターネットへの接続時間を考慮し、また、画像メモリ機器の起動時間を考慮して画像データの取込み作動を行うことができ、オーディオデータに画像データを確実に同期させることができる。
【００５８】
また、前記画像データを当該デジタルオーディオ機器に接続した画像データ記録機器のデータとしたものにおいては、このデジタルオーディオ機器に接続したＣＤ−ＲＯＭ、ＤＶＤ−ＲＯＭ、あるいはハードディスクに記録した画像データを利用することができる。
【００５９】
また、前記取り込んだ画像データを、少なくともオーディオデータに同期する時期まで蓄積する画像メモリを備えたものにおいては、予め早めに画像データを取り込んで画像メモリに蓄積しておき、オーディオデータと同期する時点で出力することができるようなるので、インターネットへの接続時間の不安定さを考慮して予め早めに画像データを取り込んでおくことができ、また画像データ記録機器の起動時間の相違を考慮して予め早めに画像データを取り込んでおくことが可能となり、オーディオデータと画像データの同期を確実に取ることができるようになる。
【図面の簡単な説明】
【図１】本発明をデジタルオーディオ放送受信機に適用した実施例の機能ブロック図である。
【図２】同実施例に用いられるデジタルオーディオ放送用データのフォーマットを示すデータ構成図である。
【図３】同、デジタルオーディオ放送用データを形成し出力する、デジタルオーディオ放送の送信機のブロック図である。
【図４】同、デジタルオーディオ放送用データのフレームと画像読み込み時期を示す図であり、（ａ）はオーディオデータの出力と画像の読み込み・表示が一致している例を示し、（ｂ）はインターネットにより画像データを取り込むときのインターネットへの接続指示、画像取込み指示の時点と、オーディオデータの出力時期が異なる例を示す説明図である。
【図５】本発明をオーディオディスクに適用した実施例の機能ブロック図である。
【符号の説明】
１０  デジタルオーディオ放送受信部
１４  データ分離部
１７  情報チャンネルデータ分離部
１９  画像メモリ
２０  制御部
２４  画像ファイルアクセス部
２５  インターネットアクセス部
２８  インターナビシステム
２９  画像提供ホームページ
３０  画像メモリ機器アクセス部
３１  ＣＤ−ＲＯＭ
３２  ＤＶＤ−ＲＯＭ
４０  デジタルオーディオプレーヤ
【図１】
0003932160.tif 000002
【図２】
0003932160.tif 000003
【図３】
0003932160.tif 000004
【図４】
0003932160.tif 000005
【図５】
0003932160.tif 000006